(57)【要約】      （修正有）【課題】作業に時間及び手間の掛かっていた粘着テープを剥離する作業に要する手間及び時間を従来より少なくし、コーナータイルを効率よく製造する方法を提供する。【解決手段】  タイル対を列状に配置し、列状に配置されたタイル対の表面に粘着テープを貼り付けて該タイル対を一体的に貼り付けるとともに列状に配置された該タイル対どうしも一体的に貼り付け、粘着テープで貼付けされた少なくとも２組以上のタイル片を断面谷状の治具上にＬ字状に配置し、当接している傾斜面の端部にそって熱硬化性接着剤を付着し、傾斜面にそって接着剤を展開させつつ硬化させてタイル片をＬ字形状タイルとし、得られた該Ｌ字形状タイルから粘着している粘着テープを剥離して複数個のＬ字形状タイルを得る製造方法を用いる。【選択図】図４
2006257717.tif 000002
【特許請求の範囲】
【請求項１】
一辺端部の裏面が面取りされて傾斜面となっている方形板状のタイル片を該一辺端部が対向して近接するように表面を上側にして配置したタイル対を各該タイル対の該一辺端部が直線状に位置するように列状に配置する列状配置工程と、
列状に配置された該タイル対の表面に粘着テープを貼り付けて該タイル対を形成する２個の該タイル片を該粘着テープで一体的に貼り付けるとともに列状に配置された該タイル対どうしも一体的に貼り付けるテープ貼付工程と、
該粘着テープで貼付けされた少なくとも２組以上のタイル片を断面谷状の治具上に各該タイル片の表面を下側にし、該傾斜面同士が当接してＬ字形状のタイル片とするＬ状配置工程と、
当接している傾斜面の端部にそって熱硬化性接着剤を付着し、該傾斜面にそって該接着剤を展開させつつ硬化させて該タイル片をＬ字形状タイルとする接着工程と、
得られた該Ｌ字形状タイルから粘着している粘着テープを剥離して複数個のＬ字形状タイルを得るテープ剥離工程と、
を有することを特徴とするコーナータイルの製造方法。
【請求項２】
前記接着工程は、付着させた該熱硬化性接着剤が一体的に接合される該タイル片の他辺端面上に展開しない短い時間及び／又は低い温度でなされることを特徴とする請求項１に記載のコーナータイルの製造方法。
【発明の詳細な説明】
【技術分野】
【０００１】
本発明は、一辺端部の裏面が面取りされて傾斜面となっている方形板状のタイル片を該傾斜面同士を接着させてコーナータイルを製造する方法に関するものである。
【背景技術】
【０００２】
従来より建築物の壁や柱等の表面には、その意匠性を高めるために、意匠性に優れた色調及び模様等を有するタイル等が貼られている。特に、壁や柱等のコーナー部分へタイルを貼る際にはコーナータイルが用いられている。このようなコーナータイルの製造方法には大別して２つある。第一の製造方法は、当初からコーナータイルを略Ｌ字状にプレス成形し、最終工程で焼成するものである。この第一の製造方法は、コーナー部分に継ぎ目がなく、仕上がりが綺麗である長所があるが、手間が掛かりすぎて需要に対応できない欠点がある。一方一辺端部に傾斜面を持つ２枚のタイル片を使用し、該タイル片の傾斜面を接着面とし、該接着面同士を突き合わせて略Ｌ字状に接着する第二の製造方法がある。この第二の製造方法は、自動化が容易で量産性に優れている。
【０００３】
本件特許出願人は、上記第二のコーナータイルの製造方法に関して、数件の特許出願を行った。例えば連結紙貼付装置について特許出願を行い、特開平１０−１５６８１９号として出願公開された。また接着剤の塗布方法として特許出願を行い特開２００２−２５４０２８号として出願公開された。
【特許文献１】特開平１０−１５６８１９号公報
【特許文献２】特開２００２−２５４０２８号公報
【発明の開示】
【発明が解決しようとする課題】
【０００４】
本願特許出願人は、上記公開公報に記載された連結紙貼付装置及び接着剤の塗布方法等を用いたコーナータイルの製造を行い、従来に比べ効率よくコーナータイルの製造を行うことが出来るようになった。
【０００５】
しかしながら本願特許出願人は、さらなる高効率化を目指し上記コーナータイルの製造法を見直した所、以下の課題を見いだした。まず連結紙の貼付時、連結紙がタイル一対ずつに対して各々切断され、連結紙を剥離する際、コーナータイル一個ずつの連結紙を各々剥離する必要があり、そこに手間及び時間がかかるという課題を見いだした。また連結紙剥離後、余分な接着剤が剥離面に付着硬化していた場合、それを取り去るのにも手間が生じているという課題も見いだされた。この連結紙を剥離するのに要する時間によって一日の製造個数が決まってしまうことになる。
【０００６】
本発明は、このような事情に鑑みて為されたものであり、連結紙を剥離する際に要する手間及び時間を従来より少なくし、コーナータイルを製造する方法を提供することを目的とする。
【課題を解決するための手段及び発明の効果】
【０００７】
そこで、本発明者はこの課題を解決すべく鋭意研究し、試行錯誤を重ねた結果、タイル片に貼り付ける粘着テープを、列状に配置した少なくとも２個以上のタイル対どうしも一体的に貼り付けてブロックとし、その貼り付けされたタイル片のブロックを断面谷状の治具上でＬ字形状になるように配置し、当接している接着面の端部にそって熱硬化性接着剤を付着させ、該接着剤を接着面に展開させつつ硬化させることにより、粘着テープ剥離時の手間及び時間を大幅に削減できることを思いつき、本発明を完成するに至った。また接着剤の量を一定にし、ボッテイング時間や硬化温度を適正とすることにより、接着面の接着剤塗布端の反対側端部にはみ出る前に、硬化させられることを確認し、発明に至った。
【０００８】
すなわち、本発明のコーナータイルの製造方法は、一辺端部の裏面が面取りされて傾斜面となっている方形板状のタイル片を該一辺端部が対向して近接するように表面を上側にして配置したタイル対を各該タイル対の該一辺端部が直線状に位置するように列状に配置する列状配置工程と、列状に配置された該タイル対の表面に粘着テープを貼り付けて該タイル対を形成する２個の該タイル片を該粘着テープで一体的に貼り付けるとともに列状に配置された該タイル対どうしも一体的に貼り付けるテープ貼付工程と、該粘着テープで貼付けされた少なくとも２組以上のタイル片を断面谷状の治具上に各該タイル片の表面を下側にし、該傾斜面同士が当接してＬ字形状のタイル片とするＬ状配置工程と、当接している傾斜面の端部にそって熱硬化性接着剤を付着し、該傾斜面にそって該接着剤を展開させつつ硬化させて該タイル片をＬ字形状タイルとする接着工程と、得られた該Ｌ字形状タイルから粘着している粘着テープを剥離して複数個のＬ字形状タイルを得るテープ剥離工程と、を有することを特徴とする。
【０００９】
本発明のコーナータイルの製造方法は、上記特徴を持つことにより、粘着テープを一個ずつ切断する手間が省け、また今まで一個ずつ行っていた粘着テープの端面を処理する手間が省け、尚かつ粘着テープの剥離工程では、今まで一個ずつ行っていた剥離作業が、ブロックとした複数個のタイルに対して一回行えばよくなり、大幅に作業効率が向上する。また接着剤をタイル片の接着傾斜面の端部にそって付着させ、該傾斜面にそって接着剤を浸透させつつ硬化することにより、接着面端部の接着剤の余分なはみ出しを抑制することが出来、はみ出した接着剤を削り落とす作業の手間が省ける。
【００１０】
このように、作業時間及び手間が短縮され、製造効率が著しく向上する効果がある。
【００１１】
また本発明のコーナータイルの製造方法において、前記接着工程は、付着させた該熱硬化性接着剤が一体的に接合される該タイル片の他辺端面上に展開しない短い時間及び／又は低い温度でなされることも出来る。
【００１２】
該タイル片の他辺端面上に展開しない短い時間及び／又は低い温度でなされることにより、他辺端面上に余分な接着剤がさらにつきにくくなり、粘着テープ剥離工程における余分な接着剤を取り去る手間が省ける。
【００１３】
上記コーナータイルの製造方法を用いることにより、一日の生産量が、従来約８００個であったものが、約１５００個と飛躍的に高い効率で生産できた。
【発明を実施するための最良の形態】
【００１４】
次に、実施例を挙げ、本発明をより詳しく説明する。
【００１５】
コーナータイルの製造は、図１の（Ａ）（Ｂ）に示すように、一辺端部の裏面が面取りされて傾斜面となっている方形板状のタイル片１の各２枚をその傾斜面３を突き合わせるようにして配置し、その傾斜面３に接着剤を塗布し、同図の（Ｃ）（Ｄ）に示すように折り曲げ、タイル片の接着面を合わせ、接着剤を硬化させることによって行われる。
【００１６】
上記の方法を量産的に、高効率で行うために本発明の製造方法を見いだした。本発明の製造方法は、下記５工程を用いる。
【００１７】
まず第１工程として、上記一辺端部の裏面が面取りされて傾斜面となっている方形板状のタイル片１を該一辺端部が対向して近接するように表面を上側にして配置したタイル対を各該タイル対の該一辺端部が直線状に位置するように列状に配置する列状配置工程を行う。
【００１８】
上記タイルは、板状であれば、裏面や側面に凹凸が形成されているものも適用できる。また一辺端部に設けられた傾斜面の傾斜角度は、４５°とすれば、コーナータイルとなった場合のコーナー角度は９０°となる。従ってコーナータイルのコーナー部に必要とされる角度に応じて傾斜面の傾斜角度を設定すればよい。
【００１９】
また上記タイル片の対向して近接する一辺端部同士は、接触せずある間隔を置いて配置するのが好ましい。接触せずある間隔を取ることにより、タイル片が接着されＬ字形状になったときに、そのコーナー部が綺麗に仕上がる。間隔を取るために、スペーサーをおいて配置するのが簡便な方法である。必要な間隔は、使用するタイル片の厚みや形状によって適宜決定出来る。
【００２０】
次に第２工程として、図２に示すように、列状に配置された該タイル対の表面に粘着テープを貼り付けて該タイル対を形成する２個の該タイル片を該粘着テープで一体的に貼り付けるとともに列状に配置された該タイル対どうしも一体的に貼り付けるテープ貼付工程を行う。
【００２１】
図２は、列状に配置された該タイル対１に粘着テープ２を貼り付け、該タイル対同士も一体的に貼り付けた所を示す斜視図である。
【００２２】
図２に示すように、配置工程で近接するタイル片同士は、ある一定の間隔を取ったまま粘着テープに貼り付けられる。また列状に並べたタイル対同士も、タイル対同士一定の間隔をあけたまま、粘着テープを貼り付けられ一体化される。
【００２３】
粘着テープは、タイル対のある一定の個数毎に切断することも、或いは後工程が許せば切断せずに連続して使用することも出来る。
【００２４】
次に第３工程として、該粘着テープで貼付けされた少なくとも２組以上のタイル片を断面谷状の治具上に各該タイル片の表面を下側にし、該傾斜面同士が当接してＬ字形状のタイル片とするＬ状配置工程を行う。該タイル片を該治具上に、表面を下側にして置くことにより、タイル対は自然とＬ字形状に折れ曲がり、該傾斜面同士が当接してＬ字形状のタイル片となる。
【００２５】
図３は、断面谷状の治具４上にＬ字形状のタイル片５が配置されたところを示す斜視図である。また図４は、治具４を除いた状態で見た粘着テープ２によって貼り付けられたＬ字形状のタイル片を示す斜視図である。図４に示すように粘着テープ２でつながったタイル片５が、タイル片５の複数個が塊となって配置されている。
【００２６】
断面谷状の治具４は、コーナータイルの要求される角度によって谷状の角度を決定できる。その結果該タイル片５は、断面谷状の治具４に配置されることにより、一定の角度で固定されることが出来る。傾斜面３同士は、谷状の治具４の角度にそって当接する。
【００２７】
次に第４工程として、当接している傾斜面の端部にそって熱硬化性接着剤を付着し、該傾斜面にそって該接着剤を展開させつつ硬化させて該タイル片をＬ字形状タイルとする接着工程を行う。
【００２８】
粘着テープが貼られていない方の傾斜面端部に熱硬化性接着剤を付着させ、毛細管現象を通じて該傾斜面に展開させる。熱硬化性接着剤は、特に限定はないが、主剤と硬化剤及び必要に応じて着色剤を混合したものを使用できる。例えばエポキシ樹脂を主剤とし、硬化剤としてアミン系の硬化剤を用いるものがよく知られている。接着剤の付着方法は、主剤と硬化剤と必要に応じて着色剤をホースで送り出し、注出口の手前で混合攪拌してノズルから抽出させてもよいし、他品種少量生産用に、主剤と硬化剤と必要に応じて着色剤を混合した接着剤を袋に詰めて、袋の注出口から絞り出して、付着させてもよい。また例えばポリエチレン容器に、注出口であるノズルを設けたものを用いて、接着剤の塗布を行ってもよい。
【００２９】
接着剤は、ノズルから流れ落ちない程度の固さを持つ粘度とする。接着剤の塗布は、以下のように行うと好ましい。ノズルの先から直径３ｍｍ程度の液滴を、タイル片の接着面端部にある間隔で落として付着させる。接着剤は、毛細管現象により、当接する接着面の間にそって、接着面全体に展開していく。各タイル形状及び熱硬化性接着剤の特徴に応じた接着剤量、温度、ポッティング時間を用いることにより接着剤が傾斜面に展開するようにする。接着剤を傾斜面に展開させながら、接着剤の特徴に合わせた硬化温度及び硬化時間を用い、接着剤を硬化させ、該タイル片をＬ字形状タイルとする。
【００３０】
最後に第５工程として、得られた該Ｌ字形状タイルから粘着している粘着テープを剥離して複数個のＬ字形状タイルを得るテープ剥離工程を行う。
【００３１】
粘着テープが複数個のＬ字形状タイルをつなげた状態で貼られているため、一つの粘着テープを剥離する作業で、複数個のＬ字形状タイルが一度に得られる。
【００３２】
さらに前記接着工程は、付着させた該熱硬化性接着剤が一体的に接合される該タイル片の他辺端面上に展開しない短い時間及び／又は低い温度でなされてもよい。該タイル片の他辺端面上に展開しないことにより、他辺端面上に付着した余剰な接着剤を取り去る手間が省け、さらに生産効率がよくなる。
【００３３】
以上の実施例であるコーナータイルの製造方法によれば、上記剥離工程における作業時間及び手間が短縮され、製造効率を著しく向上させることができる。
【００３４】
以上、本発明のコーナータイルの製造方法の実施の形態について実施例を挙げて説明した。しかしながら、実施の形態は上記実施例に特に限定されるものではない。当業者が行いうる種々の変形的形態、改良的形態で実施することも可能である。
【図面の簡単な説明】
【００３５】
【図１】本発明のコーナータイルの製造方法の手順を説明する説明図である。
【図２】テープ貼り付け工程におけるタイル対の連結状態を示す斜視図である。
【図３】Ｌ状配置工程におけるＬ字形状のタイル片の配置状態を示す斜視図である。
【図４】Ｌ状配置工程におけるＬ字形状のタイル片の状態を示す斜視図である。
【符号の説明】
【００３６】
１：タイル片、２：粘着テープ、３：傾斜面、４：断面谷状の治具、５：Ｌ字形状のタイル片。
【図１】
2006257717.tif 000003
【図２】
2006257717.tif 000004
【図３】
2006257717.tif 000005
【図４】
2006257717.tif 000006